(57)【要約】【課題】必要かつ詳細な現地情報を効率的に取得できる遠方監視システムおよび遠方監視方法を提供すること。【解決手段】この遠方監視システム１は、監視対象がある現地に配置されると共に現地情報を取得する現地監視ユニット１０と、現地の遠方に配置されると共に現地監視ユニット１０に対してネットワーク３０を介して接続される遠方監視ユニット２０とを含む。そして、現地監視ユニット１０が、高密度現地情報および低密度現地情報を生成し、高密度情報を低密度情報に関連付けて記録すると共に低密度情報をネットワーク３０を介して遠方監視ユニット２０に略リアルタイムで送信している。そして、低密度情報が複数のフレーム画像を含むと共にこれらのフレーム画像のうち任意のフレーム画像が指定されるとこのフレーム画像に関連付けられた高密度情報が現地監視ユニット１０から遠方監視ユニット２０に送信される。【選択図】        図１
2006229569.tif 000002
【特許請求の範囲】
【請求項１】
監視対象がある現地に配置されると共に監視対象にかかる情報（以下、現地情報という。）を取得する現地監視ユニットと、現地の遠方に配置されると共に前記現地監視ユニットに対してネットワークを介して接続される遠方監視ユニットとを含む遠方監視システムであって、
前記現地監視ユニットが、高密度な現地情報（以下、高密度情報という。）および低密度な現地情報（以下、低密度情報という。）を生成し、高密度情報を低密度情報に関連付けて記録すると共に低密度情報をネットワークを介して遠方監視ユニットに略リアルタイムで送信しており、且つ、
前記低密度情報が複数のフレーム画像を含むと共にこれらのフレーム画像のうち任意のフレーム画像が指定されると当該フレーム画像に関連付けられた高密度情報が前記現地監視ユニットから前記遠方監視ユニットに送信されることを特徴とする遠方監視システム。
【請求項２】
低密度情報の前記フレーム画像に対して、より高解像度のフレーム画像が高密度情報として関連付けられている請求項１に記載の遠方監視システム。
【請求項３】
低密度情報に含まれる一つの前記フレーム画像に対して、複数のフレーム画像が高密度情報として関連付けられている請求項１または２に記載の遠方監視システム。
【請求項４】
関連付けられる高密度情報に、音声情報、警報信号、その他付加的な現地情報が含まれる請求項１〜３のいずれか一つに記載の遠方監視システム。
【請求項５】
高密度情報が圧縮されて記録され、且つ、その圧縮方式として可逆圧縮方式が採用される請求項１〜４のいずれか一つに記載の遠方監視システム。
【請求項６】
高密度情報に電子透かしが挿入される請求項１〜５のいずれか一つに記載の遠方監視システム。
【請求項７】
異常発生時にて所定の高密度情報が保護される請求項１〜６のいずれか一つに記載の遠方監視システム。
【請求項８】
監視対象にかかる情報（以下、現地情報という。）が現地にて現地監視ユニットにより取得されると共に、取得された現地情報がネットワークを介して現地監視ユニットから遠方の遠方監視ユニットに送信される遠方監視方法であって、
高密度な現地情報（以下、高密度情報という。）および低密度な現地情報（以下、低密度情報という。）が生成されるステップと、
前記高密度情報が前記低密度情報に関連付けて記録されるステップと、
前記低密度情報がネットワークを介して前記現地監視ユニットから前記遠方監視ユニットに略リアルタイムで送信されるステップと、
前記低密度情報が複数のフレーム画像を含むと共にこれらのフレーム画像のうち任意のフレーム画像が指定されると当該フレーム画像に関連付けられた高密度情報が前記現地監視ユニットから前記遠方監視ユニットに送信されるステップと、
を含むことを特徴とする遠方監視方法。
【発明の詳細な説明】
【技術分野】
【０００１】
この発明は、遠方監視システムおよび遠方監視方法に関し、さらに詳しくは、必要かつ詳細な現地情報を効率的に取得できる遠方監視システムおよび遠方監視方法に関する。
【背景技術】
【０００２】
近年では、遠方の監視センターにて現地の監視対象をネットワークを介して監視できる遠方監視システムが実用化されている。かかる遠方監視システムでは、インフラや運輸コストの制限から、ネットワークとして一般回線等のナローバンドが使用されている。このため、現地にて取得された情報（現地情報）をそのままの情報量にてリアルタイムで監視センターに伝送することが困難である（必ずしもネットワークがブロードバンドではない）。しかし、遠方監視システムでは、リアルタイムにて監視対象を監視できること、ならびに、異常発生時や事後的な検証時などの所定時にて現地の詳細な状況を確認できることの双方が求められる。
【０００３】
この点において、従来の遠方監視システムには、特許文献１に記載される技術が知られている。従来の遠方監視システムでは、現地情報がネットワークの通信容量に応じてリアルタイムで伝送可能な情報量に減縮処理されている。そして、平常時には、この減縮された現地情報（低密度情報）がネットワークを介して遠方の監視センター（遠方監視ユニット）にリアルタイムで伝送されている。一方、現地情報が、その情報量を維持しつつ現地にて記録されている。そして、所定時にて、この詳細な現地情報（高密度情報）が遠方の監視センターに伝送される。
【０００４】
従来の遠方監視システムでは、かかる構成により、情報量が異なる二種類の現地情報が使い分けられ、目的に応じた的確な監視（平常時におけるリアルタイムでの現地情報の取得ならびに所定時における詳細な現地情報の取得）が実現されている。
【０００５】
【特許文献１】特開２００３−０１８５５２号公報
【発明の開示】
【発明が解決しようとする課題】
【０００６】
この発明は、必要かつ詳細な現地情報を効率的に取得できる遠方監視システムおよび遠方監視方法を提供することを目的とする。
【課題を解決するための手段】
【０００７】
上記目的を達成するため、この発明にかかる遠方監視システムは、監視対象がある現地に配置されると共に監視対象にかかる情報（以下、現地情報という。）を取得する現地監視ユニットと、現地の遠方に配置されると共に前記現地監視ユニットに対してネットワークを介して接続される遠方監視ユニットとを含む遠方監視システムであって、前記現地監視ユニットが、高密度な現地情報（以下、高密度情報という。）および低密度な現地情報（以下、低密度情報という。）を生成し、高密度情報を低密度情報に関連付けて記録すると共に低密度情報をネットワークを介して遠方監視ユニットに略リアルタイムで送信しており、且つ、前記低密度情報が複数のフレーム画像を含むと共にこれらのフレーム画像のうち任意のフレーム画像が指定されると当該フレーム画像に関連付けられた高密度情報が前記現地監視ユニットから前記遠方監視ユニットに送信されることを特徴とする。
【０００８】
この遠方監視システムでは、低密度情報が複数のフレーム画像を含むと共にこれらのフレーム画像のうち任意のフレーム画像が指定されるとこのフレーム画像に関連付けられた高密度情報が現地監視ユニットから遠方監視ユニットに送信される。これにより、必要かつ詳細な現地情報が迅速かつ的確に取得される利点がある。
【０００９】
また、この発明にかかる遠方監視システムは、低密度情報の前記フレーム画像に対して、より高解像度のフレーム画像が高密度情報として関連付けられている。
【００１０】
この遠方監視システムでは、低密度情報のフレーム画像に対して、より高解像度のフレーム画像が高密度情報として関連付けられているので、必要かつ詳細な現地情報が効率的に取得される利点がある。
【００１１】
また、この発明にかかる遠方監視システムは、低密度情報に含まれる一つの前記フレーム画像に対して、複数のフレーム画像が高密度情報として関連付けられている。
【００１２】
この遠方監視システムでは、低密度情報に含まれる一つのフレーム画像に対して、一つのフレーム画像が高密度情報として関連付けられているので、必要かつ詳細な現地情報が効率的に取得される利点がある。
【００１３】
また、この発明にかかる遠方監視システムは、関連付けられる高密度情報に、音声情報、警報信号、その他付加的な現地情報が含まれる。
【００１４】
この遠方監視システムでは、関連付けられる高密度情報に、音声情報、警報信号、その他付加的な現地情報が含まれるので、より詳細な現地情報が効率的に取得される利点がある。
【００１５】
また、この発明にかかる遠方監視システムは、高密度情報が圧縮されて記録され、且つ、その圧縮方式として可逆圧縮方式が採用される。
【００１６】
この遠方監視システムでは、高密度情報が圧縮されて記録され、且つ、その圧縮方式として可逆圧縮方式が採用されるので、より多くの高密度情報を記録できると共に、圧縮処理による画像情報の損失を低減できる利点がある。
【００１７】
また、この発明にかかる遠方監視システムは、高密度情報に電子透かしが挿入される。
【００１８】
この遠方監視システムでは、高密度情報に電子透かしが挿入されるので、高密度情報の改竄が防止されて、事後的な検証にあたり高密度情報の物件証拠としての信頼性が高まる利点がある。
【００１９】
また、この発明にかかる遠方監視システムは、異常発生時にて所定の高密度情報が保護される。
【００２０】
この遠方監視システムでは、異常発生時にて所定の高密度情報が保護されるので、重要な現地情報の消失が防止される利点がある。
【００２１】
また、この発明にかかる遠方監視方法は、監視対象にかかる情報（以下、現地情報という。）が現地にて現地監視ユニットにより取得されると共に、取得された現地情報がネットワークを介して現地監視ユニットから遠方の遠方監視ユニットに送信される遠方監視方法であって、高密度な現地情報（以下、高密度情報という。）および低密度な現地情報（以下、低密度情報という。）が生成されるステップと、前記高密度情報が前記低密度情報に関連付けて記録されるステップと、前記低密度情報がネットワークを介して前記現地監視ユニットから前記遠方監視ユニットに略リアルタイムで送信されるステップと、前記低密度情報が複数のフレーム画像を含むと共にこれらのフレーム画像のうち任意のフレーム画像が指定されると当該フレーム画像に関連付けられた高密度情報が前記現地監視ユニットから前記遠方監視ユニットに送信されるステップと、を含むことを特徴とする。
【発明の効果】
【００２２】
この発明にかかる遠方監視システムでは、低密度情報が複数のフレーム画像を含むと共にこれらのフレーム画像のうち任意のフレーム画像が指定されるとこのフレーム画像に関連付けられた高密度情報が現地監視ユニットから遠方監視ユニットに送信されるので、必要かつ詳細な現地情報が迅速かつ的確に取得される利点がある。
【発明を実施するための最良の形態】
【００２３】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００２４】
図１は、この発明の実施例にかかる遠方監視システムを示す構成図である。図２〜図５は、図１に記載した遠方監視システムの機能を示すブロック図（図２）、フローチャート（図３）ならびに説明図（図４〜図６）である。図７は、図１に記載した遠方監視システムの変形例を示す説明図である。
【００２５】
［遠方監視システム］
この遠方監視システム１は、現地監視ユニット１０および遠方監視ユニット２０を含み構成される（図１参照）。現地監視ユニット１０は、監視対象（防犯施設や防災施設など）がある現地に設置され、監視対象にかかる情報（以下、現地情報という。）を取得する。遠方監視ユニット２０は、現地から離れた場所（例えば、監視センター）に設置され、現地監視ユニット１０に対してネットワーク３０を介して接続される。この遠方監視システム１は、情報量が異なる二種類の現地情報（低密度情報および高密度情報）を使い分けることにより、目的に応じた的確な監視（平常時におけるリアルタイムでの現地情報の取得ならびに所定時における詳細な現地情報の取得）を実現できる。
【００２６】
現地監視ユニット１０は、監視カメラ１１と、集音マイク１２と、警報センサー１３と、現地制御装置１４と、現地記録装置１５とを含み構成される。なお、これらの要素１１〜１５は、複数設置されても良い（図１参照）。監視カメラ１１は、例えば、プログレッシブカメラから成り、その撮像方向を現地の監視対象に向けて設置される。また、この監視カメラ１１は、監視状態にて監視対象を常時撮像すると共に、その画像情報を現地制御装置１４に送信する。集音マイク１２は、監視対象の近傍に設置され、監視状態にて付近の音声を常時集音すると共に、その音声情報を現地制御装置１４に送信している。警報センサー１３は、監視対象の近傍に設置され、監視対象に所定の異常が発生した（所定の異常を検知した）ときに、警報信号を現地制御装置１４に送信する。現地制御装置１４は、取得した監視対象にかかる情報（監視カメラ１１からの画像情報、集音マイク１２からの音声情報、警報センサー１３からの警報信号など。以下、現地情報という。）に基づいて所定の処理を行う。この現地制御装置１４の機能については、後述する。現地記録装置１５は、現地制御装置１４により処理された現地情報（高密度情報）を記録する。このとき、現地記録装置１５は、現地情報を圧縮データとして記録しても良いし、非圧縮データとして記録しても良い。
【００２７】
遠方監視ユニット２０は、遠方制御装置２１と、遠方記録装置２２と、表示モニター２３と、操作パネル２４とを含み構成される。遠方制御装置２１は、現地監視ユニット１０からの現地情報に基づいて所定の処理を行う。遠方記録装置２２は、現地監視ユニット１０からの現地情報を記録する。表示モニター２３は、現地情報に含まれる画像情報を表示する。操作パネル２４は、監視員による指令の入力に用いられる。
【００２８】
ネットワーク３０は、インターネット、ＬＡＮ（Local Area Network）などを含む情報通信網である。このネットワーク３０は、必ずしもブロードバンドではなく、一般回線等のナローバンドを含み構成される。
【００２９】
［現地制御装置の機能］
現地監視ユニット１０に含まれる現地制御装置１４は、高密度情報生成部１４１と、低密度情報生成部１４２と有する（図２参照）。
【００３０】
高密度情報生成部１４１は、現地情報に基づき高密度情報を生成する機能を有する。この高密度情報は、高密度な（詳細な）現地情報であり、事後的な検証等にあたり必要な情報を確認できる（物件証拠となり得る）程度の豊富な情報量を有する。例えば、この高密度情報は、解像度が高く詳細な複数のフレーム画像Ｈ１〜Ｈ４を含み構成される（図４参照）。なお、これらのフレーム画像Ｈ１〜Ｈ４は、圧縮画像であっても良いし、非圧縮画像であっても良い。
【００３１】
低密度情報生成部１４２は、現地情報に基づき低密度情報を生成する機能を有する。この低密度情報は、高密度情報よりも低密度な（減縮された）現地情報であり、現地監視ユニット１０から遠方監視ユニット２０に略リアルタイムで伝送可能な容量を有する。例えば、この低密度情報は、高密度情報のフレーム画像Ｈ１〜Ｈ４よりも解像度が低い（粗い）複数のフレーム画像Ｌ１〜Ｌ４を含み構成される。ただし、これらのフレーム画像Ｌ１〜Ｌ４は、表示モニター２３に表示されたときに、監視員が取得したい現地情報を特定できる程度の解像度を有する必要がある。
【００３２】
同期データ作成部１４３は、作成された高密度情報と低密度情報とを相互に関連付ける（同期する）同期データを作成する。例えば、高密度情報に含まれる複数のフレーム画像Ｈ１〜Ｈ４と低密度情報に含まれる複数のフレーム画像Ｌ１〜Ｌ４とがフレーム毎に関連付けられて、同期データが作成される（図４参照）。また、これらの関連付けは、例えば、ソースとなる画像情報（監視カメラ１１により取得された画像情報）のフレーム番号、撮像時刻などに基づき行われる。これにより、低密度情報のフレーム画像Ｌ１〜Ｌ４から任意のフレーム画像Ｌ３が指定（選択）されると、これに関連する高密度情報（フレーム画像Ｈ３およびその音声情報など）が速やかに特定される。なお、作成された同期データは、データベースとして現地記録装置１５（あるいは現地制御装置１４のメモリ）に記憶される。
【００３３】
［作用］
この遠方監視システム１では、平常時にて、監視対象に関する現地情報が現地監視ユニット１０により常時取得され、この現地情報のうちの一部（低密度情報）が現地から離れた遠方監視ユニット２０にネットワーク３０を介してリアルタイムで伝送される（図１参照）。すなわち、平常時にて伝送される現地情報は、リアルタイムで伝送可能な一部の情報（低密度情報）に限定される。そして、異常発生時や事後的な検証時などの所定時にて、遠方監視ユニット２０側からの指定により、詳細な現地情報（高密度情報）が現地監視ユニット１０から遠方監視ユニット２０にネットワーク３０を介して伝送される。
【００３４】
より詳細には、まず、平常時にて、監視対象に関する現地情報が、現地監視ユニット１０の監視カメラ１１、集音マイク１２、警報センサー１３等により常時取得される（ＳＴ１１）（図３参照）。次に、この現地情報をソースとして、高密度情報および低密度情報が現地制御装置１４により生成される（ＳＴ１２）。この低密度情報には、複数かつ低解像度のフレーム画像Ｌ１〜Ｌ４が含まれ、また、高密度情報には、低密度情報の各フレーム画像Ｌ１〜Ｌ４に対応する高解像度のフレーム画像Ｈ１〜Ｈ４が含まれる（図４参照）。また、このとき、低密度情報（フレーム画像Ｌ１〜Ｌ４）と高密度情報（フレーム画像Ｈ１〜Ｈ４）とを相互に関連付ける同期データが現地制御装置１４により作成される（ＳＴ１３）。そして、高密度情報が現地記録装置１５により記録され（ＳＴ１４）、低密度情報が現地制御装置１４から遠方制御装置２１にネットワーク３０を介してリアルタイムで送信される（ＳＴ１５）。
【００３５】
次に、遠方制御装置２１が低密度情報を受信すると、この低密度情報が遠方記録装置２２に記録されて表示モニター２３に表示される（ＳＴ２１、ＳＴ２２）。このとき、例えば、警報センサー１３によるアラーム発生時刻と、この時刻に前後する時刻(例えば、前後６０秒）にかかる映像(画像）とが関連付けられたリストが、表示モニター２３に表示される（図５参照)。そして、表示リスト中から任意のフレーム番号が指定されると、該当する低密度情報が表示モニター２３上に表示される(図６参照)。これにより、フレーム番号や時間情報(アラーム発生時刻や録画時刻など）に基づいた高密度情報(詳細画像）の検索が可能となる。
【００３６】
また、このとき、低密度情報は、例えば、複数のフレーム画像Ｌ１〜Ｌ４が取得された時間毎にサムネイル方式により順次配列されて表示される（図６（ａ）参照）。次に、所定時にて、表示されたフレーム画像Ｌ１〜Ｌ４から任意のフレーム画像Ｌ３が指定されると、指定命令が遠方制御装置２１から現地制御装置１４に送信される（ＳＴ２３）。具体的には、監視員が表示されたフレーム画像Ｌ１〜Ｌ４の中から必要なもの（詳細な現地情報を要するもの）を選択して指定する。また、この指定の入力は、操作パネル２４を介して表示モニター２３の画面上で行われる。
【００３７】
次に、現地制御装置１４が指定命令（任意のフレーム画像Ｌ３の指定）を受信すると、指定されたフレーム画像Ｌ３に関連する高密度情報（フレーム画像Ｈ３およびその音声情報など）が同期データに基づいて現地記録装置１５から現地制御装置１４に読み込まれる（ＳＴ１６）。そして、読み込まれた高密度情報が現地制御装置１４から遠方制御装置２１に送信される（ＳＴ１７）。
【００３８】
次に、遠方制御装置２１が高密度情報を受信すると、この高密度情報が遠方記録装置２２に記録されて表示モニター２３に表示される（ＳＴ２４、ＳＴ２５）。例えば、指定された低密度情報のフレーム画像Ｌ３に対応する高密度情報のフレーム画像Ｈ３が、表示モニター２３上に拡大表示される（図６（ｂ）参照）。また、このフレーム画像Ｈ３は、さらに部分的な拡大も可能である（図６（ｃ）参照）。これにより、詳細な現地情報が必要十分な範囲にて迅速に取得される。
【００３９】
［効果］
ここで、従来の遠方監視ユニットでは、異常発生時や事後的な検証時にて、監視員の手動あるいは警報センサーとの連動により必要な現地情報にかかる時間帯が指定され、この指定命令に基づいて、所定時間分の現地情報（高解像度の映像など）が遠方監視ユニットに伝送される。かかる構成では、伝送された現地情報の中から監視員が必要な情報（例えば、犯人の顔や服装が写っている詳細画像）を探し出す必要があるため、真に必要な情報の取得に時間がかかるという課題がある。
【００４０】
この点において、この遠方監視システム１では、低密度情報が複数のフレーム画像Ｌ１〜Ｌ４を含むと共にこれらのフレーム画像Ｌ１〜Ｌ４のうち任意のフレーム画像Ｌ３が指定されるとこのフレーム画像Ｌ３に関連付けられた高密度情報（フレーム画像Ｈ３や音声情報など）が現地監視ユニット１０から遠方監視ユニット２０に送信される。したがって、送信される高密度情報が時間帯により指定される構成と比較して、必要かつ詳細な現地情報が迅速かつ的確に取得される利点がある。また、これに伴いネットワーク３０の回線使用にかかるコストが低減される利点がある。また、ネットワーク３０が一般回線等のナローバンドである場合にも、必要かつ詳細な現地情報が効率的に取得される利点がある。
【００４１】
［変形例１］
なお、この遠方監視システム１では、低密度情報のフレーム画像Ｌ１〜Ｌ４に対して、より高解像度のフレーム画像Ｈ１〜Ｈ４が高密度情報として関連付けられている（図４参照）。すなわち、解像度の低減により低密度情報（フレーム画像Ｌ１〜Ｌ４）がリアルタイムで伝送可能な情報量（容量）に低減されている。
【００４２】
かかる構成では、低密度情報に含まれる複数のフレーム画像Ｌ１〜Ｌ４の中から任意のフレーム画像Ｌ３が指定されると、これに関連付けられた高解像度のフレーム画像Ｈ３が現地監視ユニット１０から遠方監視ユニット２０に送信される。これにより、必要かつ詳細な現地情報が効率的に取得される利点がある。
【００４３】
［変形例２］
また、この遠方監視システム１では、低密度情報に含まれる一つのフレーム画像Ｌ１〜Ｌ４に対して、一つのフレーム画像Ｈ１〜Ｈ４が高密度情報として（一対一で）関連付けられている（図４参照）。しかし、これに限らず、低密度情報に含まれる一つのフレーム画像Ｌ１〜Ｌ４に対して、複数のフレーム画像Ｈ１〜Ｈ４が高密度情報として関連付けられていても良い（図７参照）。すなわち、フレームレートの低減により低密度情報がリアルタイムで伝送可能な情報量に低減されている。
【００４４】
かかる構成では、低密度情報に含まれる複数のフレーム画像Ｌ１〜Ｌ４の中から任意のフレーム画像Ｌ３が指定されると、これに関連付けられた複数のフレーム画像Ｈ２、Ｈ３（あるいはＨ２〜Ｈ４など）が現地監視ユニット１０から遠方監視ユニット２０に送信される。これにより、必要かつ詳細な現地情報が効率的に取得される利点がある。
【００４５】
なお、かかる構成では、低密度情報のフレーム画像Ｌ１〜Ｌ４と高密度情報のフレーム画像Ｈ１〜Ｈ４とが、同一の解像度を有しても良いし（図７参照）、異なる解像度を有しても良い（図示省略）。すなわち、フレームレートおよび解像度の双方により、低密度情報がリアルタイムで伝送可能な情報量に低減されても良い。これにより、低密度情報の情報量の調整が容易となる利点がある。
【００４６】
［変形例３］
また、この遠方監視システム１では、関連付けられる高密度情報に、音声情報、警報信号、その他付加的な現地情報が含まれても良い。すなわち、関連付けられる高密度情報は、フレーム画像Ｈ１〜Ｈ４に限定されない。これにより、より詳細な現地情報が効率的に取得される利点がある。
【００４７】
なお、音声情報は、一般に、時間的に連続した容量の大きなデータ（音声ファイル）となる。したがって、高密度情報に音声情報が含まれる構成では、指定された任意の低密度情報のフレーム画像Ｌ１〜Ｌ４の前後にかかる所定時間の音声データが再生可能となるように構成されることが好ましい。これにより、必要十分な音声情報をネットワークに負担をかけることなく取得できる利点がある。
【００４８】
［変形例４］
また、この遠方監視システム１では、現地監視ユニット１０（現地記録装置１５）にて高密度情報が圧縮されて記録され、且つ、その圧縮方式として可逆圧縮方式（ロスレス圧縮方式）が採用されることが好ましい。これにより、より多くの高密度情報を現地記録装置１５に記録できると共に、圧縮処理による画像情報の損失を低減できる利点がある。
【００４９】
かかる圧縮方式には、例えば、ＪＰＥＧ２０００(Joint Photographic Experts Group）が含まれる。なお、圧縮方式としてＪＰＥＧ２０００が採用される構成では、ＪＰＥＧが採用される構成と比較して、圧縮画像の品質が向上する利点やブロックノイズが低減される利点がある。ただし、これに限らず、製品の仕様（要求される高密度情報の解像度など）等に応じて不可逆圧縮による圧縮方式が採用されても良い。
【００５０】
［変形例５］
また、この遠方監視システム１では、高密度情報に電子透かしが挿入されることが好ましい（図示省略）。例えば、現地制御装置１４が電子透かし挿入部１４４を有すると共に、この電子透かし挿入部１４４が高密度情報のフレーム画像Ｈ１〜Ｈ４に電子透かしを挿入する。これにより、高密度情報の改竄が防止されるので、事後的な検証にあたり高密度情報の物件証拠としての信頼性が高まる利点がある。なお、かかる電子透かしの挿入は、例えば、ＪＰＥＧ２０００の採用により実現される。
【００５１】
［変形例６］
また、この遠方監視システム１では、監視対象に異常が発生したとき（異常発生時）に所定の高密度情報が保護されることが好ましい。例えば、現地制御装置１４が高密度情報保護部１４５を有すると共に、この高密度情報保護部１４５が異常発生時にて所定の高密度情報（例えば、異常発生時前後にかかる所定時間の高密度情報）を保護する。具体的には、一定期間の上書き禁止やバックアップ等により、重要な高密度情報が保護される。これにより、重要な現地情報の消失が防止される利点がある。なお、平常時には、現地記録装置１５の記憶容量がいっぱいとなると、高密度画像が順次上書きされて記録される。
【産業上の利用可能性】
【００５２】
以上のように、本発明にかかる遠方監視システムおよび遠方監視方法は、必要かつ詳細な現地情報を効率的に取得できる点で有用である。
【図面の簡単な説明】
【００５３】
【図１】この発明の実施例にかかる遠方監視システムを示す構成図である。
【図２】図１に記載した遠方監視システムの機能を示すブロック図である。
【図３】図１に記載した遠方監視システムの機能を示すフローチャートである。
【図４】図１に記載した遠方監視システムの機能を示す説明図である。
【図５】図１に記載した遠方監視システムの機能を示す説明図である。
【図６】図１に記載した遠方監視システムの機能を示す説明図である。
【図７】図１に記載した遠方監視システムの変形例を示す説明図である。
【符号の説明】
【００５４】
１    遠方監視システム
１０  現地監視ユニット
１０  現地監視装置
１１  監視カメラ
１２  集音マイク
１３  警報センサー
１４  現地制御装置
１５  現地記録装置
２０  遠方監視ユニット
２１  遠方制御装置
２２  遠方記録装置
２３  表示モニター
２４  操作パネル
３０  ネットワーク
１４１      高密度情報生成部
１４２      低密度情報生成部
１４３      同期データ作成部
１４４      電子透かし挿入部
１４５      高密度情報保護部
【図１】
2006229569.tif 000003
【図２】
2006229569.tif 000004
【図３】
2006229569.tif 000005
【図４】
2006229569.tif 000006
【図５】
2006229569.tif 000007
【図６】
2006229569.tif 000008
【図７】
2006229569.tif 000009